(57)【要約】      （修正有）【課題】光線が充分でない環境下においても、明るい視野を保ち、使いやすく、使用時の画面が鮮明である。【解決手段】バックライト装置２は、ゲーム機のＬＣＤスクリーン１０上方に取り付けてある。このバックライト装置２は、冷陰極管２０及び駆動回路(図示はされていない)ユニットからなる。冷陰極管２０はＬＣＤスクリーン１０の上方に固定されている。さらに、冷陰極管２０には、ＬＣＤスクリーン１０の前方に向かって、さらに、上方を経て後方に伸びたＬＣＤスクリーン１０底部に対応して取り付けられた、透明なアクリルでできた感光層２２があって、冷陰極管２０が発光した光源が均等にＬＣＤスクリーン全体１０に投射するようにしているので、すぐれたバックライト効果が期待できる。【選択図】図３
0003102220.tif 000002
【実用新案登録請求の範囲】
【請求項１】
冷陰極管及び駆動回路ユニットからなり、冷陰極管はＬＣＤスクリーンの上方に固定されていて、さらに、冷陰極管には、ＬＣＤスクリーンの前方に向かって、さらに、上方を経て後方に伸びたＬＣＤスクリーン底部に対応して取り付けられた、透明なアクリルでできた感光層があって、冷陰極管が発光した光源が均等にＬＣＤスクリーン全体に投射するようにしているので、すぐれたバックライト効果が期待でき、また、感光層外側の面には、遮光面処理が施されていて、光源が外に漏れるのを防いでいて、冷陰極管両端には、それぞれリード線によって駆動回路に連結されて、通電し、さらに、電連結方式によって、ゲーム機の電池ケースに接続されるので、電源を入れると、必要とする電源が供給されて、発光の状態になるという特長を持つ、携帯用液晶画面ゲームおもちゃのバックライト装置。
【請求項２】
冷光板をゲーム機のＬＣＤスクリーン後方に、ラミネート方式で取り付け、さらに、駆動ＩＣと冷光板の上に足のついたリード線によって接続して、駆動ＩＣと元のゲーム機の電源板に接続して、電源を許給するようにすることで、ゲーム機の電源を入れると、同時に、冷光板が作動してバックライト効果が得られるという特長を持つ、携帯用液晶画面ゲームおもちゃのバックライト装置。
【考案の詳細な説明】
【技術分野】
【０００１】
本考案は、例えば「ゲームボーイ」（登録商標）などの携帯用液晶画面ゲームおもちゃのバックライト装置に関する。本考案の携帯用液晶画面ゲームおもちゃのバックライト装置は、ハンディタイプのゲーム機を利用し、スイッチを入れた時や使用時に、充分な照明を提供するようにする機能を持つ。したがって、光線が充分でない環境下においても、明るい視野を保ち、使いやすいという効果がある。また、使用時の画面が鮮明で、明るいという特徴を持つ。
【背景技術】
【０００２】
現在市場に出回っているハンディタイプのゲーム機すなわち携帯用液晶画面ゲームおもちゃは、GBA(GAMEBOY ADWNCE)の類が最も多い。そのスクリーンは、ゲーム機の短小軽薄という設計上の特徴から、小型のＬＣＤが使用されている。このタイプのゲーム機の主な使用者層は一部の成人若者を除いては、ほとんどが青少年や児童である。その画面は範囲が小さく、画質の解析度もそれほど良好ではない上に、暗くてはっきりとしないという欠点がある。そして、バックライト機能のないＬＣＤスクリーンは、長時間使用すると、目が疲れ、視力を低下させる可能性がある。
【考案の開示】
【考案が解決しようとする課題】
【０００３】
本考案の課題は、上記従来の問題点を解決することにある。
【課題を解決するための手段】
【０００４】
本考案の携帯用液晶画面ゲームおもちゃのバックライト装置は、直接GBA(GAMEBOY ADWNCE)のような携帯用液晶画面ゲームおもちゃのバックライト装置にＬＣＤスクリーンバックライト機能のあるバックライト装置を、ハンディタイプのゲーム機のＬＣＤスクリーンの後方に取り付けてある。そのうち、冷陰極管は駆動回路を組み合わせてあり、さらに、遮光処理を施した感光層を組み合わせてある。電気連結により通じ、ゲーム機の電源供給方式を通して、このバックライト装置に導通するようになっているので、ゲーム機のＬＣＤスクリーンの背面に均等に発光するようになっている。したがって、ゲーム使用時のおもしろさが増し、常に明るい状態を保つことができるという特長を持つ。
【考案の効果】
【０００５】
本考案のバックライト装置は、以下のような効果がある。
１）組み立てが簡単で、便利であるため、市販のゲーム機にＤＩＹ方式で取り付けることができる。
２）冷陰極管あるいは冷光板が消耗する電力を低く抑えるので、エネルギーの節約が可能である。
３）ゲーム機のＬＣＤスクリーンに充分な照明機能を提供し、安定且つ均等な光源が得られる。さらに、ゲーム機の装飾、美化効果を高める効果がある。
【考案を実施するための最良の形態】
【０００６】
図１から図３を参照いただきたい。バックライト装置２は、ゲーム機１のＬＣＤスクリーン１０上方に取り付けてある。このバックライト装置２は、冷陰極管２０及び駆動回路２１(図示はされていない)ユニットからなる。冷陰極管２０はＬＣＤスクリーン１０の上方に固定されている。さらに、冷陰極管２０には、ＬＣＤスクリーン１０の前方に向かって、さらに、上方を経て後方に伸びたＬＣＤスクリーン１０底部に対応して取り付けられた、透明なアクリルでできた感光層２２があって、冷陰極管２０が発光した光源が均等にＬＣＤスクリーン全体１０に投射するようにしているので、すぐれたバックライト効果が期待できる。
【０００７】
また、感光層２２外側の面には、遮光面２２１処理が施されていて、光源が外に漏れるのを防いでいる。冷陰極管２０両端には、それぞれリード線によって駆動回路２１に連結されて、通電する。さらに、電連結方式によって、ゲーム機１の電池ケースに接続される。したがって、電源を入れると、必要とする電源が供給されて、発光の状態になる。
【０００８】
また、駆動回路２１は、ゲーム機１本体の回路板に焼き付けることが可能であるため、全体の形態を変更する必要がなく、取り付けることができ、簡単にバックライト装置２を持つゲーム機１が完成する。
【０００９】
実際に使用する際は、ゲーム機１を使用してゲームを楽しむと同時に、導光装置２がより明るい光源を均等に提供することにより、充分な照明が得られる。その上、きらめくような装飾と美化効果があり、斬新さと美的効果が得られる。
【００１０】
図４を参照いただきたい。本考案のバックライト装置２は、冷陰極管２０に感光層２２を組み合わせて均等なバックライト効果を得る方法以外に、もう一つ方法がある。図に示すように、冷光板２３をゲーム機１のＬＣＤスクリーン１０後方に、ラミネート方式で取り付ける。さらに、駆動ＩＣと冷光板２３の上に足のついたリード線２３１(図示はされていない)によって接続する。そして、駆動ＩＣと元のゲーム機１の電源板に接続して、電源を許給するようにする。このようにすることで、ゲーム機１の電源を入れると、同時に、冷光板２３が作動してバックライト効果が得られる。
【００１１】
上述の駆動ＩＣ部分は、直接元のゲーム機１の回路板に結合させることも可能である。こうすることで、バックライト装置２がより簡単に、便利に取り付けられる。
【図面の簡単な説明】
【００１２】
【図１】本考案の実施例の外観図である。
【図２】本考案の実施例の局部構造の内面図である。
【図３】本考案の実施例の構造断面図である。
【図４】本考案のもう一つの実施例の断面図である。
【符号の説明】
【００１３】
１  ゲーム機            １０  ＬＣＤスクリーン
２  バックライト装置    ２０  冷陰極管
２１  駆動回路          ２２  感光層
２２１  遮光面          ２３  冷光板
２３１  足のあるリード線
【図１】
0003102220.tif 000003
【図２】
0003102220.tif 000004
【図３】
0003102220.tif 000005
【図４】
0003102220.tif 000006